(57)【要約】【課題】光源の点灯タイミングを任意に選択することが可能であり、かつ、簡単な構成で蛍光体の劣化を抑制し長期に渡って高輝度を維持することが可能な光源装置および映像表示装置を提供することを目的とする。【解決手段】光源装置１は、光源素子２と、光源駆動部３と、円形状の蛍光体ホイール５と、モーター６と、モーター駆動部７と、信号処理部４とを備えている。信号処理部４は、蛍光体ホイール５において、回転位置と予め定められた基準位置との位相差を検出する位相検出部４１と、位相検出部４１が検出した位相差に基づき、回転位置の位相が基準位置の位相に等しくなるタイミングと、光源駆動信号の一周期の開始タイミングとの間に時間差が生じるように、モーター駆動信号を生成する位相制御部４２とを備え、位相制御部４２は、時間差を変更可能にモーター駆動信号を生成する。【選択図】図３
2015230821.tif 000002
【特許請求の範囲】
【請求項１】
励起光を出射する光源と、
前記光源を駆動する光源駆動部と、
前記光源からの励起光が照射されることで蛍光を発する蛍光体が配置された円形状の蛍光体ホイールと、
前記蛍光体ホイールを周方向に回転駆動するモーターと、
前記モーターを駆動するモーター駆動部と、
点灯パターンに基づく光源駆動信号を前記光源駆動部へ供給し、かつ、前記モーター駆動部へモーター駆動信号を供給する信号処理部と、
を備え、
前記信号処理部は、
前記蛍光体ホイールにおいて、回転位置と予め定められた基準位置との位相差を検出する位相検出部と、
前記位相検出部が検出した位相差に基づき、前記回転位置の位相が前記基準位置の位相に等しくなるタイミングと、前記光源駆動信号の一周期の開始タイミングとの間に時間差が生じるように、前記モーター駆動信号を生成する位相制御部と、
を備え、
前記位相制御部は、前記時間差を変更可能に前記モーター駆動信号を生成する、光源装置。
【請求項２】
前記位相制御部に対して、前記時間差が生じるように前記モーター駆動信号を生成させるための指令信号を、ユーザー操作で入力する操作部をさらに備える、請求項１記載の光源装置。
【請求項３】
前記信号処理部は、前記点灯パターンに係る前記光源の動作時間の累計である累計動作時間を記憶するための記憶領域をさらに備え、
前記位相制御部は、前記記憶領域に記憶された前記累計動作時間に基づき前記時間差を変更する、請求項１または請求項２記載の光源装置。
【請求項４】
前記信号処理部は、複数種類の前記点灯パターンを記憶するための記憶領域をさらに備え、
前記位相制御部は、前記記憶領域に記憶された前記複数種類の点灯パターンの中から選択される点灯パターンに応じて、前記時間差を変更し前記モーター駆動信号を生成する、請求項１または請求項２記載の光源装置。
【請求項５】
前記モーター駆動部は、前記光源駆動信号の周期の整数倍の周期で前記モーターを駆動する、請求項１から４のいずれか１つに記載の光源装置。
【請求項６】
前記蛍光体ホイールは、円形状の平板と、前記平板上の周方向に沿って連続的な円環状に配置される前記蛍光体とを備える、請求項１から５のいずれか１つに記載の光源装置。
【請求項７】
請求項１から６のいずれか１つに記載の光源装置を備える映像表示装置。
【発明の詳細な説明】
【技術分野】
【０００１】
本発明は、光源装置および映像表示装置に関し、特に光源として固体光源素子および蛍光体を使用したものに関する。
【背景技術】
【０００２】
パーソナルコンピュータまたはビデオレコーダ等の再生映像、または半導体メモリ等に記憶されたデータによる画像等を表示するための映像表示装置が広く利用されている。特にパーソナルコンピュータを用いてプレゼンテーションを実施する際には光源から出射された光をマイクロミラー素子または液晶板等の変調素子上に集光してスクリーン上にカラー画像を表示する投写型映像表示装置が多用されている。
【０００３】
従来は、投写型映像表示装置の光源としてアーク放電による光放射を利用した高圧ランプを用いることが主流であった。しかし、近年では、消費電力の低減および光源の長寿命化を目的として、発光ダイオードまたはレーザーダイオード等の固体光源素子を光源として使用した映像表示装置の開発が多数なされている。ほかにも固体光源素子と、固体光源素子の出射光を励起光として吸収し可視光を放射する蛍光体とを組み合わせたものを、映像表示装置の光源として利用する手法も知られている。
【０００４】
蛍光体の発光出力は蛍光体に照射される励起光の強度に依存し、かつ、蛍光体表面の励起光照射部の温度に依存する。励起光の照射によって蛍光体表面の温度は上昇する。蛍光体表面における温度上昇は蛍光体の発光効率の低下を招き、照射が連続的である場合には発熱によって蛍光体が熱的損傷を受け劣化する。
【０００５】
このような蛍光体の劣化を防止するために、円形の平板上の周方向に沿って連続して蛍光体を塗布し、円の中心を通り円板に垂直な方向を軸として円板を回転させる機構を持たせることによって、励起光の照射位置を常時移動させる光源装置が実用化されている。
【０００６】
上記の光源装置に関し、蛍光体を塗布した円板自体を径方向に往復移動させることで蛍光体の熱的損傷を軽減することが可能な投影装置が提案されている（例えば、特許文献１参照）。
【０００７】
また、蛍光体を塗布した円板の回転周期を光源の発光タイミングの周期の非整数倍に設定し、蛍光体上の光源照射位置を常時ずらすことで蛍光体の熱的損傷を軽減することが可能な照明装置が提案されている（例えば、特許文献２参照）。
【先行技術文献】
【特許文献】
【０００８】
【特許文献１】特開２０１０−１６４８４６号公報
【特許文献２】特開２０１２−１５５００４号公報
【発明の概要】
【発明が解決しようとする課題】
【０００９】
しかしながら、特許文献１に記載の光源装置においては、蛍光体を塗布した円板を回転駆動するモーターの他に、円板を径方向に往復移動させる機構を必要とするため、装置の小型化が困難であるという問題があった。
【００１０】
また、特許文献２に記載の照明装置においては、励起光を出射する光源素子を、映像信号のフレーム周期から決定された一定の周期で駆動するため、励起光を出射する光源の点灯タイミングを任意に選択することができないという問題があった。
【００１１】
そこで、本発明は、光源の点灯タイミングを任意に選択することが可能であり、かつ、簡単な構成で蛍光体の劣化を抑制し長期に渡って高輝度を維持することが可能な光源装置および映像表示装置を提供することを目的とする。
【課題を解決するための手段】
【００１２】
本発明に係る光源装置は、励起光を出射する光源と、前記光源を駆動する光源駆動部と、前記光源からの励起光が照射されることで蛍光を発する蛍光体が配置された円形状の蛍光体ホイールと、前記蛍光体ホイールを周方向に回転駆動するモーターと、前記モーターを駆動するモーター駆動部と、点灯パターンに基づく光源駆動信号を前記光源駆動部へ供給し、かつ、前記モーター駆動部へモーター駆動信号を供給する信号処理部とを備え、前記信号処理部は、前記蛍光体ホイールにおいて、回転位置と予め定められた基準位置との位相差を検出する位相検出部と、前記位相検出部が検出した位相差に基づき、前記回転位置の位相が前記基準位置の位相に等しくなるタイミングと、前記光源駆動信号の一周期の開始タイミングとの間に時間差が生じるように、前記モーター駆動信号を生成する位相制御部とを備え、前記位相制御部は、前記時間差を変更可能に前記モーター駆動信号を生成するものである。
【００１３】
本発明に係る映像表示装置は、光源装置を備えるものである。
【発明の効果】
【００１４】
本発明によれば、位相制御部は、位相検出部が検出した位相差に基づき、回転位置の位相が基準位置の位相に等しくなるタイミングと、光源駆動信号の一周期の開始タイミングとの間に時間差が生じるように、モーター駆動信号を生成する。さらに、位相制御部は、時間差を変更可能にモーター駆動信号を生成する。
【００１５】
したがって、時間差の値は変更可能であり、励起光を出射する光源は点灯パターンに基づいて点灯するため、蛍光体ホイールへの励起光の照射位置は時間差の変化とともにずれる。このため、蛍光体ホイールの同じ位置に励起光が照射されつづけることがなく、蛍光体の劣化を分散させることができることから、蛍光体の劣化を抑制し長期に渡って高輝度を維持することが可能である。
【００１６】
また、蛍光体ホイールを径方向に往復移動させる機構を必要としないため、蛍光体の劣化を抑制するための構成を簡単な構成で実現することが可能である。さらに、位相制御部は、点灯パターンの種類に関わらず、時間差を変更可能にモーター駆動信号を生成することができるため、光源の点灯タイミングを任意に選択することが可能である。
【図面の簡単な説明】
【００１７】
【図１】実施の形態に係る光源装置の構成図である。
【図２】蛍光体ホイールの構成図である。
【図３】光源装置の光源点灯パターン、蛍光体ホイールへの励起光の照射位置を示す模式図である。
【図４】蛍光体ホイールの位相をシフトさせる動作のフローチャートである。
【図５】蛍光体ホイールの位相をシフトさせる効果を説明するための具体例を示す図である。
【発明を実施するための形態】
【００１８】
＜実施の形態＞
本発明の実施の形態について、図面を用いて以下に説明する。
【００１９】
(全体構成)
最初に、図１を用いて光源装置１の全体構成について説明する。図１は、実施の形態に係る光源装置１の構成図である。図１に示す光源装置１は、例えば、投写型映像表示装置の光源装置として使用されるものである。光源装置１は、光源素子２（光源）と、光源駆動部３と、信号処理部４と、蛍光体ホイール５と、モーター６と、モーター駆動部７と、ユーザー操作部８（操作部）と、光学系９とを備えている。
【００２０】
光源素子２は、青色光（励起光）を発する光源である。光源素子２は、例えば、発光ダイオードまたはレーザーダイオード等の固体光源素子である。光源駆動部３は、光源駆動信号に基づいて光源素子２を駆動する。信号処理部４は、光源駆動部３に光源駆動信号を供給する。モーター６は、円形状の蛍光体ホイール５を周方向に回転駆動する。ユーザー操作部８は、ユーザーの操作内容を信号処理部４に伝達する。光学系９は、ダイクロイックミラー９１と、集光レンズ９２とを備えている。ダイクロイックミラー９１は、光源素子２が発する励起光の光路に配置され、光源素子２が発する励起光を反射し、集光レンズ９２に入射させる。集光レンズ９２は、入射した励起光を蛍光体ホイール５上（表面）に集光させる。以下、光源装置１の各構成要素について詳細に説明する。
【００２１】
(蛍光体ホイール)
次に、図２を用いて蛍光体ホイール５について説明する。図２（ａ）は、蛍光体ホイール５の正面図であり、図２（ｂ）は、蛍光体ホイール５の側面図である。蛍光体ホイール５は、円板部５１（平板）と、蛍光体部５２（蛍光体）とを備えている。円板部５１は、円形状の平板からなる。蛍光体部５２は、円板部５１上の周方向に沿って連続的な円環状に配置されている。より具体的には、蛍光体部５２は、円板部５１の表面において中央部分を除く領域に塗布されている。蛍光体部５２は、光源素子２から照射される励起光である青色光によって励起され、緑色の蛍光を発する。
【００２２】
ここで、図３を用いて、光源点灯パターンと蛍光体ホイール５上に励起光が照射される照射位置との関係について説明する。図３（ａ）は、光源点灯パターンの一周期を模式的に表した図であり、光源が点灯していることを１、消灯していることを０として表現したものである。図３（ｂ）は、後述する蛍光体ホイール５上の励起光の照射の有無を模式的に表した図である。図３（ｃ）は、図３（ｂ）を数値で表現し、後述する励起光の累積照射時間の計算例を示した図である。
【００２３】
蛍光体ホイール５は、励起光が照射される照射位置が同心円周上に分布するように周方向に回転する。蛍光体ホイール５が基準位置に戻るタイミングは、光源駆動信号の一周期の開始タイミングと同期をとるように制御され、蛍光体ホイール５の回転周期は光源点灯パターンの一周期と等しくなるように制御されるものとする。なお、基準位置とは、蛍光体ホイール５が回転する際における予め定められた基準となる位置のことである。
【００２４】
このため、蛍光体ホイール５の一周３６０度をＮ個（Ｎは正の整数）の区間に分割し、各区間における光源素子２の状態（点灯または消灯）に応じて蛍光体ホイール５上の各区間で励起光の照射の有無を決定することができる。照射ありを１、照射なしを０と表せば、光源点灯パターンＸに対応する蛍光体ホイール５上の区間ｉ（ｉは１からＮの整数）における励起光の照射の有無は１または０で表現することができ、以下、これをＬX（ｉ）と記載する。また、ＬX（１），ＬX（２），・・・，ＬX（Ｎ）はＮ個の１または０の列であるから、これをまとめてＬXと記載する。なお、図３（ｂ）では、Ｎが１０の場合を例示したが、Ｎの値は必要に応じて任意に設定することが可能である。
【００２５】
また、ＬXに各々の光源点灯パターンの使用時間（動作時間）ｔXを乗じたものを全ての光源点灯パターンに対して和をとることで蛍光体ホイール５上の各区間における励起光の照射時間を求めることができる。本実施の形態では、単位時間を１時間（６０分）とするが、単位時間は任意に設定してもよい。図３（ｃ）に示すように、例えば、光源点灯パターンＡを７時間、光源点灯パターンＢを３時間だけ使用した場合の励起光の累計照射時間は、区間１から１０に対して、（１０、３、７、０、１０、３、７、０、７、０）となる。ここで、累計照射時間とは、蛍光体ホイール５上のＮ個の区間の各々に対する励起光の照射時間を積算した結果である。
【００２６】
(モーターおよびモーター駆動部）
モーター６は、蛍光体ホイール５を周方向に回転駆動する。より具体的には、モーター６の出力軸が円板部５１の中心に固定され、モーター６は、出力軸を中心として蛍光体ホイール５を周方向に回転駆動する。モーター駆動部７は、後述する位相制御部４２から供給される信号に基づきモーター６を駆動する。より具体的には、モーター駆動部７は、位相制御部４２から供給される信号に基づき、光源駆動信号の周期と同じ周期（１倍の周期）でモーター６を駆動するものとする。
【００２７】
(ユーザー操作部)
ユーザー操作部８は、ユーザーの操作に基づく指令信号を位相制御部４２に供給する。ここで、ユーザー操作部８は、押しボタン、キーボードまたはリモコン等、ユーザーが操作できるものであれば、どのようなものでもよい。
【００２８】
(信号処理部)
信号処理部４は、複数種類の光源点灯パターンの中から選択される光源点灯パターンに基づく光源駆動信号を光源駆動部３へ供給する。また、信号処理部４は、モーター駆動部７へモーター駆動信号を供給する。
【００２９】
信号処理部４は、位相検出部４１と、位相制御部４２と、記憶領域４３とを備えている。記憶領域４３は、例えば半導体メモリ等の記憶素子であり、複数種類の光源点灯パターンを予め記憶している。また、記憶領域４３は、後述する累計動作時間を記憶するとともに、累計照射時間を記憶する。
【００３０】
位相検出部４１は、蛍光体ホイール５の基準位置からの回転角度を検出する。すなわち、位相検出部４１は、蛍光体ホイール５において、回転位置と基準位置との位相差を検出する。位相検出部４１は、例えばフォトインタラプタまたはホール素子等で構成されるセンサであり、当該センサは、モーター６が回転して基準位置に戻ったことを検出して信号を出力する。出力された信号は位相制御部４２に入力され、位相制御部４２に蛍光体ホイール５の位相情報を与える。なお、位相検出部４１は、蛍光体ホイール５の位相情報を検出することができればよく、蛍光体ホイール５またはモーター６など、信号処理部４以外の光源装置１の構成要素に含まれていてもよい。
【００３１】
位相制御部４２は、記憶領域４３に記憶された光源点灯パターンに基づき光源駆動部３へ光源駆動信号を供給する。ここで、ユーザーがユーザー操作部８を操作することで、記憶領域４３に記憶された複数種類の光源点灯パターンの中から一種類以上の光源点灯パターンを任意に選択し、選択された光源点灯パターンが使用される。
【００３２】
また、位相制御部４２は、モーター駆動部７へモーター駆動信号を供給する。その際に位相制御部４２は、以下で説明する動作によって、位相検出部４１が検出した位相差に基づき、回転位置の位相が基準位置の位相に等しくなるタイミングと、光源駆動信号の一周期の開始タイミングとの間に時間差が生じるように、モーター駆動信号を生成する。すなわち、位相制御部４２は、光源点灯パターンに応じて、蛍光体ホイール５の位相がシフトするようにモーター駆動信号を生成する。
【００３３】
以下、図４と図５を用いて、位相制御部４２において蛍光体ホイール５の位相をシフトさせる動作の概略を説明する。図４は、蛍光体ホイール５の位相をシフトさせる動作のフローチャートであり、図５は、蛍光体ホイール５の位相をシフトさせる効果を説明するための具体例を示す図である。
【００３４】
後述するように、位相シフトの動作は繰り返し行うことが可能であるため、「ｎ回目」の手続きであることを明示するため、ＬXとｔXの添字にｎを加えてＬXn、ｔXnと表す。位相制御部４２は、蛍光体ホイール５の位相をシフトさせる動作を開始すると、ステップＳ１において、全てのＸについてＴXnの和Ｔnを演算する。次に、ステップＳ２において、位相制御部４２は、ｎについてＴnの和を演算し、累計動作時間Ｔを求める。ここで、累計動作時間とは、各々の光源点灯パターンの使用時間（動作時間）の累計である。
【００３５】
次に、位相制御部４２は、ステップＳ３へ移行し、Ｔが閾値Ｔth以上であるかどうかの判定を行う。ここで、Ｔthは任意に設定することが可能であり、予め設定されているものとする。位相制御部４２は、ＴがＴth未満であるとき（ステップＳ３においてＮＯの場合）はステップＳ１へ戻る。位相制御部４２は、ＴがＴth以上であるとき（ステップＳ３においてＹＥＳの場合）はステップＳ４へ移行し、位相シフト量の算出を行う。
【００３６】
なお、図４には図示していないが、位相制御部４２は、ステップＳ３の判定結果によらずユーザー操作部８から供給される指令信号に基づいて、任意のタイミングでステップＳ４へ移行するように構成してもよい。この場合、ユーザーがユーザー操作部８を操作することで、ユーザー操作部８から位相制御部４２に対して、時間差が生じるようにモーター駆動信号を生成させるための指令信号が入力される。
【００３７】
ステップＳ４において、位相制御部４２は、ＬXnとｔXnの積をすべてのＸについて和をとり、「ｎ回目」の動作における励起光の照射時間Ｌｎを求める。図５の「１回目」ではｔA1＝７、ｔB1＝３であるから、Ｌ1は、区間１から１０に対して、（１０、３、７、０、１０、３、７、０、７、０）となる。なお、図５には示していないが、説明のためＴth＝１０としている。
【００３８】
次に、位相制御部４２はステップＳ５へ移行する。ステップＳ５において、位相制御部４２は、ｎについてＬnの和をとり、励起光の累計照射時間Ｌを求める。図５の「１回目」では以前の履歴がないためＬ＝Ｌ1である。次に、位相制御部４２はステップＳ６へ移行する。ステップＳ６において、位相制御部４２は、Ｌが最小値を取る区間の番号ｄを取得する。ｄが複数存在する場合、位相制御部４２は、ｄのうちいずれか１つを一意に選択できる方法によって選択されたものをｄとする。例えば、複数のｄのうち最小の区間の番号をｄとしてもよいし、最大の番号をｄとしてもよく、ｄが一意に決定できればいかなる方法を用いてもよい。図５の「１回目」では、ｄは４、８または１０であるが、ここではこれらのうち最小の区間の番号４をｄとする。
【００３９】
次に、位相制御部４２はステップＳ７へ移行する。ステップＳ７において、位相制御部４２は、「ｎ＋１回目」の動作であるため、ＬX(n+1)およびｔXnの更新を行う。更新の処理は、ＬXnの各区間を（ｄ−１）だけシフトさせ、さらにｔXnを０とすることで行われる。図５の「１回目」では、ｄ＝４としたので、ＬA2（１）＝ＬA1（４）＝０、ＬA2（２）＝ＬA1（５）＝１、・・・、ＬA2（１０）＝ＬA1（１３）＝ＬA1（３）＝１のように定める。位相シフトの際にｉがＮを越える場合には(ｉ―Ｎ)が代わりに用いられる。ＬB2についても同様の動作によって、ＬB2は、区間１から１０に対して、（０、１、１、０、０、０、０、１、１、０）となる。また、ｔA2＝０、ｔB2＝０とする。
【００４０】
次に、位相制御部４２はステップＳ８へ移行し、位相検出部４１が検出した蛍光体ホイール５の基準位置と、光源駆動信号の一周期の開始タイミングとの間の時間差が、ステップＳ７で算出した位相シフト量に等しくなるように生成したモーター駆動信号をモーター駆動部７に供給し、位相シフトの動作を終了する。
【００４１】
その後、光源装置１の使用を継続し、ｔA2＝５、ｔB2＝Ｔthになった場合、上記と同様の動作によって、Ｌ2は、区間１から１０に対して、（０、１０、５、５、０、５、０、１０、５、５）と算出される。また、Ｌ＝Ｌ1＋Ｌ2は、（１０、１３、１２、５、１０、８、７、１０、１２、５）と算出される。また、図５の「２回目」においてｄ＝４と定めることができる。この後の処理は、上記に説明した内容と同様であるため説明を省略する。
【００４２】
ここで、上記の位相シフトの動作によって得られる効果について説明する。上記の位相シフトの動作を行わなかった場合のＬは、図５の「位相シフトなし」に示すように、区間１から１０に対して、（２０、８、１２、０、２０、８、１２、０、１２、０）と算出される。演算にあたっては、ｔA＝ｔA1＋ｔA2＝１２、ｔB＝ｔB1＋ｔB2＝８とした。区間ｉ＝１、５でＬ＝２０となっており、図５の「２回目」におけるＬの最大値１３と比較して大きい。よって、位相シフトの動作によって蛍光体ホイール５上への励起光の照射位置を分散させることができる。
【００４３】
以上のように、実施の形態に係る光源装置１、および光源装置１を備える映像表示装置では、位相制御部４２は、位相検出部４１が検出した位相差に基づき、回転位置の位相が基準位置の位相に等しくなるタイミングと、光源駆動信号の一周期の開始タイミングとの間に時間差が生じるように、モーター駆動信号を生成する。さらに、位相制御部４２は、時間差を変更可能にモーター駆動信号を生成する。
【００４４】
したがって、時間差の値は変更可能であり、励起光を出射する光源素子２は光源点灯パターンに基づいて点灯するため、蛍光体ホイール５への励起光の照射位置は時間差の変化とともにずれる。このため、蛍光体ホイール５の同じ位置に励起光が照射されつづけることがなく、蛍光体部５２の劣化を分散させることができることから、蛍光体部５２の劣化を抑制し長期に渡って高輝度を維持することが可能である。これにより、光源装置１および映像表示装置の長期使用が可能となる。
【００４５】
また、蛍光体ホイール５を径方向に往復移動させる機構を必要としないため、蛍光体部５２の劣化を抑制するための構成を簡単な構成で実現することが可能である。さらに、位相制御部４２は、点灯パターンの種類に関わらず、時間差を変更可能にモーター駆動信号を生成することができるため、光源素子２の点灯タイミングを任意に選択することが可能である。
【００４６】
位相制御部４２に対して、時間差が生じるようにモーター駆動信号を生成させるための指令信号を、ユーザー操作で入力するユーザー操作部８をさらに備えるため、蛍光体ホイール５の位相シフトをユーザーの所望のタイミングで行わせることが可能となる。
【００４７】
信号処理部４は、光源点灯パターンに係る光源素子２の動作時間の累計である累計動作時間を記憶するための記憶領域４３をさらに備え、位相制御部４２は、記憶領域４３に記憶された累計動作時間に基づき時間差を変更するため、累計動作時間が予め定められた閾値よりも大きくなった場合にのみ時間差を変更することができる。
【００４８】
信号処理部４は、複数種類の光源点灯パターンを記憶するための記憶領域４３をさらに備え、位相制御部４２は、記憶領域４３に記憶された複数種類の光源点灯パターンの中から選択される光源点灯パターンに応じて、時間差を変更しモーター駆動信号を生成するため、蛍光体ホイール５において、光源点灯パターンによる照射時間が短い区間ｉに対して励起光を照射するように、蛍光体ホイール５の位相シフトを行うことができる。これにより、蛍光体部５２の劣化を適切に分散させることができる。
【００４９】
また、本実施の形態では、説明を簡単にするために、モーター駆動部７は、光源駆動信号の周期の１倍の周期でモーター６を駆動することとしたが、これに限定されることなく、モーター駆動部７は、光源駆動信号の周期の整数倍の周期でモーター６を駆動してもよい。これにより、蛍光体ホイール５の回転制御を容易に行うことができる。
【００５０】
さらに、モーター駆動部７は、光源駆動信号の周期の有理数倍の周期でモーター６を駆動し、蛍光体ホイール５の回転周期を光源駆動信号の周期の有理数倍としてもよい。
【００５１】
蛍光体ホイール５は、円形状の円板部５１と、円板部５１上の周方向に沿って連続的な円環状に配置される蛍光体部５２とを備えるため、円板部５１を回転させることで蛍光体部５２における励起光の照射位置を容易に移動させることができ、蛍光体部５２の劣化を抑制するための構成が複雑化しない。
【００５２】
また、本実施の形態では、光源点灯パターンは一定の周期を持つものであれば周期内でどのようなパターンであってもよく、任意の光源点灯パターンに対して長期にわたって高品位の蛍光を得ることが可能である。
【００５３】
また、本実施の形態では、蛍光体ホイール５は回転が可能な構成であればよく、蛍光体ホイール５を備えることで装置の小型化を図ることが可能である。
【００５４】
また、本実施の形態では、ＬXnを０または１のみで構成したが、周囲温度または光源素子２を駆動する電流等に応じて、ＬXnに任意の数を乗じるようにしてもよい。
【００５５】
また、本実施の形態では、説明を簡単にするために、Ｌが最小値をとる区間の番号ｄがｉ＝１に来るようにＬX(n+1)を構成したが、ｄの区間を適切に移動させることができる構成であればどのようなものでも構わない。例えば、図４のステップＳ６においてＬが最大となる区間の番号Ｄを取得し、Ｄがｄに来るようにＬX(n+1)を構成してもよい。
【００５６】
また、本実施の形態では、説明を簡単にするために、ｄを光源点灯パターンによって変更せずに共通としたが、光源点灯パターンに応じて異なるｄを用いるように構成してもよい。
【００５７】
また、本実施の形態に係る光源装置１を投写型映像表示装置だけでなく、ディスプレイモニタ等の光源として使用することも可能である。
【００５８】
なお、本発明は、その発明の範囲内において、実施の形態を適宜、変形、省略することが可能である。
【符号の説明】
【００５９】
１  光源装置、２  光源素子、３  光源駆動部、４  信号処理部、５  蛍光体ホイール、６  モーター、７  モーター駆動部、８  ユーザー操作部、４１  位相検出部、４２  位相制御部、４３  記憶領域、５１  円板部、５２  蛍光体部。
【図１】
2015230821.tif 000003
【図２】
2015230821.tif 000004
【図３】
2015230821.tif 000005
【図４】
2015230821.tif 000006
【図５】
2015230821.tif 000007